(57)【特許請求の範囲】
【請求項１】
天井材に設けられる開口部に埋め込まれて使用される、埋込式の照明器具であって、
光源を備える灯具と、前記灯具が内部に装着される反射板と、前記反射板の上面における長手方向中央部に設けられる、前記光源に点灯用の電力を供給する電源ブロックと、を備える器具本体と、
天井裏に位置する構造部材に上端部が固定されて下方に突出する取付部材としての取付用ボルトが挿通される取付孔が設けられると共に、前記取付孔に挿通された前記取付用ボルトの下端部に締結具を用いて固定され、かつ、前記器具本体を、前記反射板の長手方向両端部側において保持する一対の取付金具と、
前記一対の取付金具を、前記反射板の長手方向に沿って所定間隔で連結すると共に、前記一対の取付金具の各々に固定される固定部と、前記電源ブロックと干渉しないように、前記固定部から上方に折り曲げられて形成される一対の壁部と、前記一対の壁部の上端部を連結する、前記固定部よりも上方に位置する連結部と、を備える連結部材と、
を有し、
前記連結部材における前記一対の壁部は、前記取付用ボルトの間隔が前記取付金具における前記取付孔の間隔よりも狭い場合に、前記取付用ボルトの方向を矯正して、前記取付用ボルトを前記取付孔に導く矯正部を兼ねる照明器具。
【請求項２】
請求項１に記載の照明器具において、
前記連結部材の前記一対の壁部の各々の幅方向両端部に連接して、前記反射板の長手方向に平行で、かつ前記取付孔を挟む一対の側壁が設けられる照明器具。
【請求項３】
請求項１または請求項２に記載の照明器具において、
前記連結部における一対の壁部の上端部、および、前記連結部材における前記取付孔を挟む一対の側壁の上端部には、上方に向かって外側へ傾斜する傾斜面が形成される照明器具。
【発明の詳細な説明】
【技術分野】
【０００１】
本発明は、天井材に設けられた取付孔に取り付けられる埋込型の照明器具に関するものである。
【背景技術】
【０００２】
従来より、天井材に設けられた取付孔に取り付けられる埋込型の照明器具が知られている（例えば、特許文献１参照）。
図８に示すように、特許文献１に記載の照明器具１００は、天井材１０１に設けられた取付孔１０２に取り付けられて使用される。照明器具１００は、下方に開口した矩形箱状の器具本体１０３を有し，内部に光源である蛍光ランプが装着される。器具本体１０３の天板１０４の上には器具本体取付金具１０５が設けられており、上端が天井材裏の構造部材に取り付けられた一対の取付ボルト１０６を器具本体取付金具１０５に設けられているねじ孔１０８に挿通し、ナット１０７を締結して器具本体１０３を吊り下げ支持する。
【先行技術文献】
【特許文献】
【０００３】
【特許文献１】特開平８−２９３２１０号公報（第２図）
【発明の概要】
【発明が解決しようとする課題】
【０００４】
ところで、前述したような全体が細長い照明器具１００においては、器具本体１０３を取り付けるために、天井材１０１裏の構造部材に取り付けられて長手方向に２本配置された取付ボルト１０６を用いるのが一般的である。
しかしながら、２本の取付ボルト１０６の間隔および鉛直度が必ずしも高精度で施工されない場合がある。
このような場合には、取付ボルト１０６をねじ孔１０８に通すのが容易ではなく、照明器具の取付が困難になるという問題があった。
【０００５】
本発明は、従来の問題を解決するためになされたもので、取付ボルトの施工精度が良くない場合でも取付ボルトに容易に取り付けることができる照明器具を提供することを目的とする。
【課題を解決するための手段】
【０００６】
本発明の照明器具は、天井材に設けられる開口部に埋め込まれて使用される、埋込式の照明器具であって、光源を備える灯具と、灯具が内部に装着される反射板と、反射板の上面における長手方向中央部に設けられる、光源に点灯用の電力を供給する電源ブロックと、を備える器具本体と、天井裏に位置する構造部材に上端部が固定されて下方に突出する取付部材としての取付用ボルトが挿通される取付孔が設けられると共に、取付孔に挿通された取付用ボルトの下端部に締結具を用いて固定され、かつ、器具本体を、反射板の長手方向両端部側において保持する一対の取付金具と、一対の取付金具を、反射板の長手方向に沿って所定間隔で連結すると共に、一対の取付金具の各々に固定される固定部と、電源ブロックと干渉しないように、固定部から上方に折り曲げられて形成される一対の壁部と、一対の壁部の上端部を連結する、固定部よりも上方に位置する連結部と、を備える連結部材と、を有し、連結部材における一対の壁部は、取付用ボルトの間隔が取付金具における取付孔の間隔よりも狭い場合に、取付用ボルトの方向を矯正して、取付用ボルトを取付孔に導く矯正部を兼ねるものである。
【０００８】
また、本発明の照明器具は、連結部材の一対の壁部の各々の幅方向両端部に連接して、反射板の長手方向に平行で、かつ取付孔を挟む一対の側壁が設けられるものである。
【０００９】
さらに、本発明の照明器具は、前記連結部における一対の壁部の上端部、および、前記連結部材における前記取付孔を挟む一対の側壁の上端部には、上方に向かって外側へ傾斜する傾斜面が形成されるものである。
【発明の効果】
【００１０】
本発明では、取付金具は連結部材により長手方向に所定間隔で設けられており、取付金具を取付部材に取り付ける際に、取付金具に設けた矯正部が、取付部材の方向を矯正して、取付金具の取付孔に導くので、複数の取付部材の取付精度が低く、所定の間隔に取り付けられていない場合でも、容易に取付金具を取付部材に取り付けることができ、器具本体を取り付けることができるという効果を有する照明器具を提供できる。
【図面の簡単な説明】
【００１１】
【図１】本発明に係る第１実施形態の照明器具の分解斜視図
【図２】本発明に係る第１実施形態の照明器具の取付金具および器具本体の斜視図
【図３】本発明に係る第１実施形態の照明器具を上方から見た斜視図
【図４】（Ａ）は連結部材で連結された取付金具の正面図であり、（Ｂ）は（Ａ）中Ｂ方向から見た平面図
【図５】本発明に係る第１実施形態の照明器具の取付金具の要部を示す側面図
【図６】本発明に係る第２実施形態の照明器具の取付金具の要部を示す斜視図
【図７】本発明に係る第３実施形態の照明器具の取付金具の要部を示す斜視図
【図８】従来の照明器具の断面図
【発明を実施するための形態】
【００１２】
（第１実施形態）
以下、本発明に係る第１実施形態の照明器具について、図面を用いて説明する。
図１に示すように、本発明に係る実施形態の照明器具１０は、天井材１１に設けられた取付孔１２に埋め込まれて使用される埋込式のものである。
照明器具１０は、天井材１１の照射方向反対側である裏側（図１において上側）の構造部材（図示省略）に上端が固定される取付部材としての一対の取付用ボルト３１，３１を有しており、取付用ボルト３１の下端には後述する器具本体２０を係止する取付金具３０が取り付けられる。
【００１３】
図４に示すように、一対の取付金具３０，３０は、連結部材３２によって長手方向に所定間隔で連結されている。
取付金具３０は、上板３３と、上板３３の幅方向両端から下方へ設けられて対向する一対の側板３４，３４とからなる下方が開口した全体コ字状を呈している。上板３３は、側板３４，３４よりも照明器具１０の長手方向中央側に長く延びて延長部３３１を形成しており、この延長部３３１に取付用ボルト３１により係止される取付孔３３２を有する。上板３３の長手方向外側端部には、後述する取付ばね２３用の切欠３３３が長手方向に設けられている。
【００１４】
各側板３４，３４の下端部は外向きに折り曲げられて係止部３５が形成されており、両側板３４，３４は、鉛直下方よりも互いに接近する方向すなわち各係止部３５が接近する方向に付勢されている。
なお、以下において、「長手方向中央（側）」とは、照明器具１０の長手方向中央（側）を意味し、「長手方向端部（側）」とは、照明器具１０における両端（側）を意味する。
【００１５】
連結部材３２は、一対の取付金具３０，３０を連結する幅狭の天板３２１と、後述する器具本体２０の突部２５と干渉しないように天板３２１を持ち上げルために、天板３２１の長手方向両端に下方へ折り曲げ形成した矯正部の第１の壁面としての縦壁３２２を有する。従って、縦壁３２２は、長手方向に直交する面である。
縦壁３２２の下端は長手方向外側に折り曲げられて取付部３２３が形成されており、取付部３２３は取付金具３０の上板３３の延長部３３１先端部に取り付けられる。また、天板３２１の幅方向両端は下方へ折り曲げられて補強用のリブ３２４が形成されており、長手方向の剛性を向上させている。
【００１６】
図２および図３に示すように、器具本体２０は、反射板２１と、反射板２１の内部に装着される灯具２２を有する。反射板２１は、取付金具３０の内部に保持されるものであり、下方へ開口した断面コ字状の細長い部材である。反射板２１の幅は、取付金具３０の上板３３の幅よりも若干小さめとなっている。
従って、反射板２１を取付金具３０の両側板３４，３４間に押し込んで、両側板３４，３４の付勢力により挟んで保持することにより、器具本体２０を取付金具３０を介して取付用ボルト３１に取り付ける。
【００１７】
反射板２１の天板２１１の上の長手方向中央部には、光源に点灯用の電力を供給する電源ブロックを収容した矩形箱状の突部２５が設けられている。このため、前述した取付金具３０を連結する連結部材３２は、突部２５に干渉しないように、天板３２１を持ち上げた全体コ字状に形成されている。反射板２１の天板２１１の長手方向両端部には、灯具２２から上方へ突出して設けられている取付ばね２３を上方へ突出させるための係止孔（図示省略）が設けられている。
【００１８】
灯具２２は、樹脂製の矩形断面を有する細長い箱状部材であり、内部には光源として、例えば長手方向に所定間隔で複数のＬＥＤパッケージ（図示省略）が下向きに設けられている。灯具２２の上面には、灯具２２を反射板２１に取り付けるための取付ばね２３が設けられている。取付ばね２３は一対のアーム２３１，２３１を有しており、両アーム２３１，２３１は、互いに離反する方向へ付勢されている。各アーム２３１，２３１の先端には、係止部２３２が設けられている。
なお、灯具２２の照射方向前方（すなわち、下方）である灯具２２の下面には、上下方向のルーバー２４が所定間隔で平行に設けられている。
【００１９】
照明器具１０を天井材１１の取付孔１２に取り付ける際には、まず、取付金具３０を取付用ボルト３１の下端に取り付ける。このとき、両取付金具３０が連結部材３２で結合されており、取付用ボルト３１が貫通する取付孔３３２の間隔は規定されているので、取付用ボルト３１の間隔が取付孔３３２の間隔よりも小さい場合には、図５に示すように、取付用ボルト３１は連結部材３２の縦壁３２２に当接して、取付孔３３２側へ導かれる（図５中矢印Ａ参照）。これにより取付孔３３２を貫通した取付用ボルト３１にナット３１２締結して、取付金具３０を取付用ボルト３１に取り付ける（図２参照）。
【００２０】
一方、灯具２２を反射板２１に取り付ける。すなわち、取付ばね２３のアーム２３１，２３１の係止部２３２を近付ける方向へ指でつまんで弾性変形させ、係止部２３２から反射板２１の係止孔（図示省略）に通す。その後、指を放すと、アーム２３１の弾性力により灯具２２は反射板２１に取り付けられる。
【００２１】
次に、器具本体２０を取付金具３０の側板３４，３４間に押し込んで、器具本体２０を取付金具３０に取り付ける（図１中矢印Ａ）。これにより、取付金具３０は器具本体２０を挟んで保持する。
【００２２】
なお、灯具２２を反射板２１から取り外す際には、器具本体２０を取付金具３０から取り外した後、取付ばね２３の係止部２３２が反射板２１の係止孔に係止されるまで灯具２２を下方へ引き下げ、一旦係止する。その後、取付ばね２３のアーム２３１を指でつまんで両係止部２３２を接近させ、反射板２１の係止孔から引き抜く。
【００２３】
以上、説明した本発明に係る第１実施形態の照明器具によれば、照射方向反対側端が構造部材に取り付けられた複数の取付用ボルト３１の照射方向側端に取付金具３０を取り付け、この取付金具３０により器具本体２０を保持する。取付金具３０は連結部材３２により長手方向に所定間隔で設けられており、取付金具３０を取付用ボルト３１に取り付ける際に、取付金具３０の連結部材３２に設けた縦壁３２２が、取付用ボルト３１の方向を矯正して取付金具３０の取付孔３３２に導くので、複数の取付用ボルト３１の取付精度が低く、所定の間隔で取り付けられていない場合でも、容易に取付金具３０を取付用ボルト３１に取り付けることができ、容易に器具本体２０を取り付けることができる。
【００２４】
また、縦壁３２２が、器具本体２０の長手方向に直交する面であるので、取付用ボルト３１が長手方向にずれて短い間隔で設置されていても、容易に取付用ボルト３１を取付金具３０に取り付けることができ、容易に器具本体２０を取り付けることができる。
【００２５】
（第２実施形態）
次に、本発明に係る第２実施形態の照明器具について説明する。
なお、前述した第１実施形態にかかる照明器具と共通する部位には同じ符号を付して、重複する説明を省略することとする。
【００２６】
図６に示すように、第２実施形態の照明器具１０Ｂでは、矯正部として連結部材３２の縦壁３２２の幅方向両端から器具本体２０の長手方向に平行で取付孔３３２を挟む一対の第２の壁面として側壁３２５が設けられている。
【００２７】
以上、説明した本発明に係る第２実施形態の照明器具によれば、前述した第１実施形態の照明器具１０と同様の効果を有する。さらに、矯正部として器具本体２０の長手方向に平行で取付孔３３２を挟む一対の第２の壁面である側壁３２５を設けたので、取付用ボルト３１が長手方向に直交する方向へずれて設置されていても、容易に取付金具３０を取付用ボルト３１に取り付けることができ、器具本体２０を容易に取り付けることができる。
【００２８】
（第３実施形態）
次に、本発明に係る第３実施形態の照明器具について説明する。
なお、前述した第１実施形態にかかる照明器具および第２実施形態にかかる照明器具と共通する部位には同じ符号を付して、重複する説明を省略することとする。
【００２９】
図７に示すように、第３実施形態の照明器具１０Ｃでは、連結部材３２の縦壁３２２および側壁３２５の上端に、照射方向反対側に向かって外側へ傾斜する傾斜面３２６，３２７が設けられている。
【００３０】
以上、説明した本発明に係る第３実施形態の照明器具によれば、前述した第１実施形態の照明器具１０ないし第３実施形態の照明器具１０Ｃと同様の効果を有する。さらに、連結部材３２の縦壁３２２および側壁３２５の上端が、照射方向反対側に向かって外側へ傾斜している傾斜面３２６，３２７を有するので、取付用ボルト３１が長手方向にずれて設置されていたり、長手方向に直交する方向へずれて設置されている場合に、取付用ボルト３１を傾斜面３２６，３２７に沿って取付孔３３２へ導くことができる。これにより、容易に取付金具３０を取付用ボルト３１に取り付けることができ、器具本体２０を容易に取り付けることができる。
【００３１】
なお、本発明の照明器具は、前述した各実施形態に限定されるものでなく、適宜な変形、改良等が可能である。
例えば、前述した各実施形態においては、２個の取付用ボルト３１および取付金具３０で器具本体２０を支持する場合を例示したが、本発明は、３個以上の取付用ボルト３１および取付金具３０を有する場合にも適用可能である。
【符号の説明】
【００３２】
１０，１０Ｂ，１０Ｃ  照明器具
２０  器具本体
３０  取付金具
３１  取付用ボルト（取付部材）
３２  連結部材
３２２  縦壁（矯正部、第１の壁面）
３２５  側壁（矯正部、第２の壁面）
３２６，３２７  傾斜面
３３２  取付孔
【図１】
0005620175.tif 000002
【図２】
0005620175.tif 000003
【図３】
0005620175.tif 000004
【図４】
0005620175.tif 000005
【図５】
0005620175.tif 000006
【図６】
0005620175.tif 000007
【図７】
0005620175.tif 000008
【図８】
0005620175.tif 000009